(57)【要約】【課題】特別な空調家具を用いることなく省スペース化を実現し、空調用空気の吹き出し方向を上下に変更可能とした空調付カウンターテーブルを提供し、この空調付カウンターテーブルを設けて空調面において快適な執務空間を実現し得る兼掌窓口を構築するする。【解決手段】天板２１とそれを支持する脚体２２とを有する空調付カウンターテーブル２を、空調用空気を導入し得る二重床ＤＦの空気導入空間ＤＦｓに連通するエアダクト部ＡＤと、天板２１に付帯して設けられエアダクト部あＤに連通する吹出口４ｓとを設け、外部の空調装置Ｍから空気導入空間ＤＦｓ及びエアダクト部ＡＤを通じて送られる空調用空気を、吹出口４ｓを通じて天板２１の上面２１ａ側へ又は下面２１ｂ側への何れかを選択して送出し得るように構成した。【選択図】図５
2004263906.tif 000002
【特許請求の範囲】
【請求項１】
天板とこの天板を支持する脚体とを有し、空調用空気を導入し得る空気導入空間を形成した二重床上に配置されるカウンターテーブルであって、前記二重床上に配置され空気導入空間に連通するエアダクト部と、天板に付帯して設けられ前記エアダクト部に連通する吹出口とを具備してなり、外部の空調装置から空気導入空間及びエアダクト部を通じて送られる空調用空気を、前記吹出口を通じて天板の上面側へ又は下面側への何れかを選択して送出し得るように構成していることを特徴とする空調付カウンターテーブル。
【請求項２】
エアダクト部内に、吹出口へ向けて空調用空気を強制的に送出し得るファンを設けている請求項１記載の空調付カウンターテーブル。
【請求項３】
ファンの回転速度を調節することで、空調用空気の吹出口から送出強さを変更し得るスピードコントローラを具備している請求項２記載の空調付カウンターテーブル。
【請求項４】
エアダクト部の一部を構成し前記吹出口を設けたフード部を具備し、このフード部を、吹出口が天板の上面側に突出する上昇位置と、吹出口が天板の下面側においてエアダクト部内に収納される下降位置との間で移動可能に配置するとともに、下降位置において吹出口から送出される空調用空気を外部へ送出する第２吹出口をエアダクト部の前壁に形成している請求項１、２又は３記載の空調付カウンターテーブル。
【請求項５】
下降位置においてフード部の上面が、天板の上面とほぼ面一となるように構成している請求項４記載の空調付カウンターテーブル。
【請求項６】
フード部を上昇位置と下降位置との間で上下動作させる駆動部を具備し、この駆動部を構成する主要機構部品を、エアダクト部の外側に当該エアダクト部とは区画して設けた駆動機構収容部内に収容している請求項４又は５記載の空調付カウンターテーブル。
【請求項７】
エアダクト部に、その内部を開放可能な扉部を形成している請求項１、２、３、４、５又は６記載の空調付カウンターテーブル。
【請求項８】
鉄道等の駅における改札口に付帯して設けられる駅係員用執務室である兼掌窓口に適用されるものである請求項１、２、３、４、５、６又は７記載の空調付カウンターテーブル。
【請求項９】
鉄道等の駅における改札口に付帯して設けられる駅係員用執務室である兼掌窓口において、外部の空調装置から空調用空気を導入し得る空気導入空間を形成した二重床と、二重床上に配置される脚体及びこの脚体に支持される天板を備えたカウンターテーブルとを具備し、このカウンターテーブルを、前記二重床上に配置され空気導入空間に連通するエアダクト部と、天板に付帯して設けられ前記エアダクト部に連通する吹出口とを具備してなり、前記吹出口を通じて天板の上面側へ又は下面側への何れかを選択して送出し得るように構成していることを特徴とする兼掌窓口。
【発明の詳細な説明】
【０００１】
【発明の属する技術分野】
本発明は、空調付カウンターテーブル、及び駅の改札に設置される兼掌窓口に関するものである。
【０００２】
【従来の技術】
ビル等の空調装置は、空調装置で調温した空調用空気を天井や床下等を引き回したダクトを通じて室内へ吹き出させるようにしてあるのが通例であるが、テーブル等での執務者個々人には体感温度差や温度の好みがあるため、執務者ごとに空調用空気の個別化を図ることが考えられている。このようなものには、例えば、ワークスペースの床が二重床である場合、この二重床に空調装置に連通する空気導入路を形成し、二重床の表面に形成した開口部上に空調用空気を引き込むとともに外部へ吹き出させる吹出口を備えた空調家具を配置して、この空調家具に隣接配置したテーブルで執務するような構成が考えられている（例えば、特許文献１参照）。
【０００３】
【特許文献１】
特許第２８４０６４７号明細書
【０００４】
【発明が解決しようとする課題】
ところが、このような空調家具をテーブルの横に配置すると、空調家具の存在によってワークスペースが狭められることになり、空間の有効利用を図ることが困難である。また、冷気は上方から吹き出させる一方、暖気は下方から吹き出させた方が温調の効率がよく、或いは空調用空気を上半身に直接当てたい者や上半身には直接に当てたくない者など執務者の好みも様々であり、空調家具の吹出口は定位置に設けられているので、空調用空気の吹き出し高さ位置を調節することも困難である。特に、鉄道の駅における改札口に付帯して設けられる駅係員用執務室である兼掌窓口のように、屋外や屋外に面して据え付けられたワークスペースでは、通常のビルの屋内と比較して外に面しているために温度調節が難しく、厳しい執務環境にあるのが現状であるうえに、元々ワークスペースが狭いために上述のような空調家具を設置することが困難である。
【０００５】
そこで本発明は、以上のような問題に鑑みて、特別な空調家具を用いることなく省スペース化を実現し、空調用空気の吹き出し方向を上下に変更可能とした空調付カウンターテーブルの提供を主たる目的とし、このような空調付カウンターテーブルを設けて空調面において快適な執務空間を実現し得る兼掌窓口を構築することをも目的としている。
【０００６】
【課題を解決するための手段】
すなわち、本発明の空調付カウンターテーブルは、天板とこの天板を支持する脚体とを有し、空調用空気を導入し得る空気導入空間を形成した二重床上に配置されるものであって、二重床上に配置され空気導入空間に連通するエアダクト部と、天板に付帯して設けられ前記エアダクト部に連通する吹出口とを具備してなり、外部の空調装置から空気導入空間及びエアダクト部を通じて送られる空調用空気を、前記吹出口を通じて天板の上面側へ又は下面側への何れかを選択して送出し得るように構成していることを特徴とするものである。
【０００７】
このような構成の空調付カウンターテーブルは、二重床の空気導入空間を通じて送られてくる空調用空気を吹き出すためのエアダクト部と吹出口とを備え付けたものであるので、別途に空調家具を設置する必要がない。そのため、空調家具を設置するためのスペースを確保する必要がなく、ワークスペースを有効に利用することができ、カウンターテーブルを設置すべきワークスペースが狭い場合には特に好適である。もちろん、空調家具を購入する必要がないので、そのためのコストダウンを図ることもできる。さらに、この空調付カウンターテーブルでは、吹出口の位置を上昇位置又は下降位置の何れかに選択することができるため、例えば空調用空気が冷気の場合や空調用空気を執務者の上半身に当てる場合には、空調用空気が天板の上面側から吹き出す上昇位置に吹出口を設定し、空調用空気が暖気の場合や空調用空気を執務者の上半身に当てずに下半身に当てる場合には、空調用空気が天板の下面側から吹き出す下降位置に吹出口を設定すればよい。このようにすることで、効率のよい空調を行うことができるとともに、執務者の状況や好みに応じた空調を行うことができるので、空調面における快適な執務空間を実現が可能となる。
【０００８】
このような構成の空調付カウンターテーブルにおいて、空気導入空間及びエアダクト部を通じて送られてくる空調用空気を吹出口から適切に送出するためには、ワークスペースにエアダクト部内に、吹出口へ向けて空調用空気を強制的に送出し得るファンを設けことが望ましい。この場合、吹出口から送出される空調用空気の強さを執務者の好みやワークスペースの温度環境などの状況に応じて適宜に変更し得るようにするためには、ファンの回転速度を調節することで、空調用空気の吹出口から送出強さを変更し得るスピードコントローラを設けるとよい。
【０００９】
吹出口を上昇位置又は下降位置の何れかに変更するための好ましい構成としては、この空調付カウンターテーブルに、エアダクト部の一部を構成し吹出口を設けたフード部を設け、このフード部を、吹出口が天板の上面側に突出する上昇位置と、吹出口が天板の下面側においてエアダクト部内に収納される下降位置との間で移動可能に配置するとともに、下降位置において吹出口から送出される空調用空気を外部へ送出する第２吹出口をエアダクト部の前壁に形成したものが挙げられる。ここで、フード部は、吹出口を適切な方向に向けることによって空調用空気の吹き出し方向を適正化するために設けられるものであり、第２吹出口は、吹出口から送出される空調用空気を外部へ吹き出させるために設けられるものである。
【００１０】
この場合、吹出口を下降位置に位置付けたときに、フード部の存在によって天板面を狭めず、天板上に広い作業領域を確保するためには、下降位置においてフード部の上面が、天板の上面とほぼ面一となるように構成することが好ましい。
【００１１】
また、吹出口を備えたフード部の動作の適正化を図るためには、この空調付カウンターテーブルに、フード部を上昇位置と下降位置との間で上下動作させる駆動部を設けることが望ましく、さらにこの駆動部を構成する主要機構部品を、エアダクト部の外側に当該エアダクト部とは区画して設けた駆動機構収容部内に収容することで、エアダクト部の内容積を広く確保するとともに、エアダクト部にアクセスすることなく駆動部の主要機構部品のみの保守点検が可能となる。
【００１２】
また、エアダクト部の保守点検を簡易に行うためには、エアダクト部に、その内部を開放可能な扉部を形成するとよい。特に、フード部を上下動作させる構成を有している場合には、フード部と天板との間にクリアランスが必要なため、このクリアランスから硬貨等の小さなものが天板上からエアダクト部内に落下する場合が考えられるが、扉部を空けことによって駆動部にはアクセスすることなく落下した硬貨等を回収できるようになる。
【００１３】
以上のような空調付カウンターテーブルは、特に鉄道等の駅における改札口に付帯して設けられる駅係員用執務室である兼掌窓口に適用すれば、狭い兼掌窓口に設置するのに好適であり、屋外に兼掌窓口を設置する場合でも好ましいな空調を実現することができる。
【００１４】
すなわち、この空調付カウンターテーブルを備えた兼掌窓口は、外部の空調装置から空調用空気を導入し得る空気導入空間を形成した二重床と、二重床上に配置される脚体及びこの脚体に支持される天板を備えたカウンターテーブルとを具備し、このカウンターテーブルを、前記二重床上に配置され空気導入空間に連通するエアダクト部と、天板に付帯して設けられ前記エアダクト部に連通する吹出口とを具備してなり、前記吹出口を通じて天板の上面側へ又は下面側への何れかを選択して送出し得るように構成していることになる。
【００１５】
【発明の実施の形態】
以下、本発明の一実施形態を、図面を参照して説明する。
【００１６】
この実施形態は、図１に示すような鉄道の駅改札口Ｋにおいて、自動改札機Ｋ２に隣接して設けられる駅係員Ｐの執務室である兼掌窓口Ｋ１内に配置されるカウンターＣのうち、図２、図３及び図４に示すように、兼掌窓口Ｋ１内に設置される執務用カウンターテーブル１の構成要素でありコーナー部に配置される空調付のコーナーカウンターテーブル２である。兼掌窓口Ｋ１は、駅構内において屋外に通じる位置に設置されており、具体的には建築壁ＫＷ及び建築天井ＫＲを兼掌窓口Ｋ１の壁及び天井として利用している。また、図５に概略構成図を示すように、建築壁ＫＷのバックヤードには、冷気や暖気、あるいは調湿した空調用空気を生成する空調装置Ｍが据え付けてあり、この空調装置Ｍから空調用空気を兼掌窓口Ｋ１内に供給するようにしている。
【００１７】
兼掌窓口Ｋ１の概略構成について更に詳細に説明する。本実施形態において兼掌窓口Ｋ１は、建築壁ＫＷに対して平面視概略コ字形をなすように建築床ＫＦ上に立設したメインカウンターＭＣと、メインカウンターＭＣ上に建築天井ＫＲにまで亘って立設させたガラス窓ＧＷとによって、概略矩形箱状をなす執務空間を構成するものである。メインカウンターＭＣは、建築床ＫＦから腰から胸の高さ程度までの高さ寸法を有する起立壁ＭＣ１と、この起立壁ＭＣ１上に載置されたメインカウンター天板ＭＣ２とによって構成される。ガラス窓ＧＷは、駅係員Ｐが乗降客とやり取りするための窓口部分ＭＣ３を除いてメインカウンター天板ＭＣ２と建築天井ＫＲとの間に起立姿勢で設けられている。また、メインカウンターＭＣの内側においては、図２、図３及び図４に示すように、固定床である建築床ＫＦ上に設置した所定高さを有する複数の脚Ｋ１Ｆａに支持させて床パネルＫ１Ｆを敷き詰め、この床パネルＫ１Ｆと建築床ＫＦとによって二重床ＤＦを形成している。すなわちこの二重床ＤＦでは、建築床ＫＦと床パネルＫ１Ｆとの間に脚Ｋ１Ｆａの高さ分に相当する空間が形成されており、この空間を上述したバックヤードＢＹの空調装置Ｍに連通させることによって兼掌窓口Ｋ１内に空調用空気を導き込む空気導入空間ＤＦｓとして機能させている。なお、床パネルＫ１Ｆにおいて建築壁ＫＷに近い部位に、格子状の金属枠を設けた開口部Ｋ１Ｆｂを形成しており、この開口部Ｋ１Ｆｂを通じて図５に示すように兼掌窓口Ｋ１内へ空気導入空間ＤＦｓから空調用空気を送出し得るようにしている。
【００１８】
執務用カウンターテーブル１は、上述したメインカウンターＭＣと共にこの兼掌窓口Ｋ１のカウンターＣを構成するものである。具体的にこの執務用カウンターテーブル１は、複数の主カウンターテーブル６と複数のコーナーカウンターテーブル２とを組み合わせて、メインカウンターＭＣの内側に沿って平面視概略コ字形をなすように配置される。主カウンターテーブル６は、図２、図３及び図４に示すように、矩形天板６１とそれそ支持する一対の脚部６２とからなるものであり、メインカウンターＭＣの起立壁ＭＣ１に天板６１の後縁を沿わせて２台配置してある。なお、天板６１の高さは、メインカウンター天板ＭＣ２よりも低い位置に設定している。
【００１９】
コーナーカウンターテーブル２は、図２、図３及び図４に示すように、２台の主カウンターテーブル６の間と、一方の主カウンターテーブル６の側縁に沿う位置にそれぞれ配置されており、２台のコーナーカウンターテーブル２はいずれも同一構成を有している。具体的に説明すると、コーナーカウンターテーブル２は主として、前縁を奥方に向けてほぼ９０°の角度で屈曲させるとともに後縁を後方へ膨出するラウンド形状とした天板２１と、天板２１を支持し床パネルＫ１Ｆ上に立設させた脚体２２とから構成されるものであり、二重床ＤＦの空気導入空間ＤＦｓから送られてくる空調用空気を兼掌窓口Ｋ１内に送出するための構成として、天板２１と脚体２２との間に空調部本体３と、吹出口４ｓを備えたフード部４とを設けている。ここで、本実施形態では、フード部４を可動部品として、図５に示すように吹出口４ｓが天板２１の上面２１ａ側から空調用空気を送出し得る上昇位置ＵＰと、天板２１の下面２１ｂ側から空調用空気を送出し得る下降位置ＤＰとの間でフード部４を吹出口４ｓと共に上下動作させるようにしている。なお、図６及び図７は、フード部４が上昇位置ＵＰにある状態を示したコーナーカウンターテーブル２の要部拡大図であり、図８及び図９は、フード部４が下降位置ＤＰにある状態を示したコーナーカウンターテーブル２の要部拡大図である。また、図６及び図８は、後述する空調部本体３の前板３１を取り外した状態の概略構成を示す正面図であり、図７及び図９は、後述する空調部本体３の外側板３４を取り外した状態の概略構成を示す側面図である。
【００２０】
天板２１の中央部には、この天板２１の厚み方向に貫通させた平面視矩形状をなす開口部２１ｃを形成してある。さらにこの開口部２１ｃの縁部に沿って、金属製の矩形枠体２１ｄを図示しないビスにより取り付けており、この矩形枠体２３の内側をフード部４が上下動作するようにしている。なお、天板２１は主カウンターテーブル６の天板６１とほぼ同一高さとなるようにしてある。一方、脚体２２は、金属板の折り曲げ加工などにより例えば平面視六角形状に形成した中空筒状の部材であって、中空内部２２ｓを上方及び下方へ開放させている。この脚体２２を配置すべき床パネルＫ１Ｆには図示しない開口が形成してあり、脚体２２の中空内部２２ｓを空気導入空間ＤＦｓに連通させている。
【００２１】
空調部本体３は、天板２１と脚体２２の上端部との間に介設されるボックス型をなす無蓋中空部材である。具体的に空調部本体３は、下半部を後方へ屈曲させた前壁たる前板３１と、この前板３１に対向配置される後板３２と、前板３１と後板３２との間においてそれらの両側端部よりもやや内寄りの位置に配置される左右一対の内側板３３、３３と、前板３１と後板３２との間においてそれらの両側端部間に配置される左右一対の外側板３４、３４と、これら前板３１、後板３２、内側板３２、外側板３４の下端部を覆う位置に配置される底板３５とを備えており、内側板３３、３３間の空間を構成する部位を、脚体２２の中空内部２２に連通する空気流通路３６とするとともに、左右それぞれにおいて内側板３３と外側板３４との間の空間を構成する部位を、フード部４を動作させるための駆動部５を構成する主要な機構部品を収容するための駆動機構収容部３７としている。前板３１の下半部には、前板３１の一部を部分的に開口させた点検口３１ａを形成するとともに、この点検口３１ａを開閉可能とする扉部３１ｂを設けており、その下端部に設けたヒンジ３１ｃを中心として扉部３１ｂの上端部側を前方へ回転させることによって、空気流通路３６を前方へ開放し得るようにしている。さらに、フード部４を下降位置ＤＰに下げた際に天板２１の下方から空調用空気を吹き出させるための第２吹出口３１ｄを前板３１の上端部にスリット状に開口させいる。また、底板３５の中央部には貫通孔３５ａを形成しており、この貫通孔３５ａを覆うように空気を流通させ得るネット３５ｂ等を配置している。なお、この空調部本体３は、前板３１及び後板３２の上端部を天板２１の開口部２２近傍にビス止めすることによって天板２１との間に隙間なく取り付けられ、底板３５を脚体２２の上端部にビス止めすることによって脚体２２との間に隙間なく取り付けられる。また、内側板３３及び外側板３４は、前板３１や後板３２にビス止めなどにより取り付けられる。
【００２２】
フード部４は、前上方及び下方に開口するボックス状をなす部材であり、上端部側の内部に、上昇位置ＵＰにおいて空調用空気を斜め上前方へ吹き出すようにした吹出口４ｓを有している。具体的にフード部４は、上方を塞ぎ後端部側を下方に向けて傾斜させた上板４１と、後方を塞ぐ後板４２と、上板４１の両側端部から下方へ垂下させた左右一対の側板４３、４３と、前方を塞ぐ前板４４と、中央部に開口を有する下板４５とによってボックス形状を形成し、側板４３、４３間に吹出口４ｓを固定している。なお、フード部４と矩形枠体２１ｂとの間には、フード部４のスムーズな動作を確保するために数ｍｍ幅程度のクリアランスを設けている。前板４４の上端部側において吹出口４ｓの前方部位には、吹出口４ｓから送出される空調用空気を外部へ送り出すための開口４４ａを形成しており、この開口４４ａに、空調用空気の吹き出し方向を左右に調節し得るルーバー４４ｂを取り付けている。また、下板４５の開口に対応させてフード部４の下端部に、空気流通路３６内の空調用空気を吹出口４ｓへ向けて強制的に送り込むファン４６を設けている。また、このファン４６の回転速度を調節するスピードコントローラ４７と、ファン４６の始動及び停止を操作するためのスイッチ４８を、共に空調部本体３の前板３１に取り付けるとともに、これらスピードコントローラ４７とスイッチ４８を図示しないケーブルを介してファン４６に電気的に接続している。このような構成のフード部４は、空調部本体３に形成された空気流通路３６と脚体２２の中空内部２２ｓと共に、二重床ＤＦの空気導入空間ＤＦｓに連通し吹出口４ｓに空調用空気を供給するエアダクト部ＡＤを構成している。
【００２３】
駆動部５は、空調本体部３とフード部４との間に介在させて設けられ、フード部４を上昇位置ＵＰと下降位置ＤＰとの間で動作させるための各種機構部品から構成され、これらのうち大半の機構部品は駆動機構収容部３７に収容してある。具体的に説明すると、駆動部５は、フード部４の動作をガイドするアーム５１と、アーム５１とフード部４との間に介在してアーム５１及びフード部４を回転可能に指示する回転軸５２と、アーム５１の動作を制御するガス式ダンパ５３等によって構成されている。アーム５１は、左右の駆動機構収容部３７にそれぞれ収容される左右に対をなす平板状の長尺部材であり、それぞれ後端部を空調部本体３の内側板３３の内側面に突き当てた回転軸５２の外側端部に取り付けている。ここで、回転軸５２は、上述したように外側端部を空調部本体３の内側板３３の内側面に突き当てるとともに当該内側板３３の外側面に固定して設けた円盤状固定金具５４に回転可能に支持させる一方、内側端部を空調部本体３の後板３２に取り付けたコ字形金具５６の前方へ突出する側片５６ａに回転可能に支持させて、ほぼ水平な姿勢で左右に対をなして設けられている。そして、回転軸５２の外側端部とアーム５１とを、前期円盤状固定金具５４を挿通させたビス５２Ｂによって相互に回転不能に固定している。なお、ビス５２Ｂは円盤状固定金具５４に対して空転する。また、回転軸５２の長手方向中央部やや内側端部よりの部位における断面形状を矩形に近い扁平形状として、この扁平形状部位をその形状に対応させてフード部４の側板４３に形成した矩形貫通孔に挿入して、側板４３を回転軸５２に対して回転不能としている。また一方のアーム５１の先端部には、下向きのラッチ爪５４ａを備えた係合部材５４を取り付けている。これに対して空調部本体３の内側板３３の外側面における前端部寄りの下端部には、Ｌ字金具５５ａ等を介して斜め上方を向きラッチ爪５４ａと係脱可能に係合し得る球形状をなす被係合部材５５を取り付けている。また、ダンパ５３は、左右の駆動機構収容部３７にそれぞれ収容される左右に対をなして設けられ、シャフト５３ａをシリンダ５３ｂに対して突没させ、シリンダ５３ｂ内のガス圧によってアーム５１の動作をゆっくりとしたものとする通常の構成を有するものであり、シャフト５３ａの下端部を空調部本体３の内側板３３の外側面後端部における下端部に取り付けたコ字形金具５３ｃに回転可能に取り付けるとともに、シリンダ５３ｂの上端部をアーム５１の長手方向中央部やや後端部寄りの部位に回転可能に取り付けている。
【００２４】
次に、このような構成のコーナーカウンターーテーブル２の利用方法並びにその効果について説明する。まず、兼掌窓口Ｋ１を冷房する場合や空調用空気を執務者の上半身に当てたい場合など、吹出口４ｓを天板２１の上面２１ａ側から吹き出させたいときには、アームのラッチ爪５４ａと被係合部５５との係合を解除した状態とすると、ダンパ５３が伸長してアーム５１をほぼ水平姿勢となる位置まで押し上げ、それに伴ってフード部４が吹出口４ｓを天板２の上面２１ａよりも上方へ突出する上昇位置ＵＰまで上動する。この状態でスイッチ４８をＯＮにするとファン４６が始動して、天板２の上面２１ａ側から空調用空気を強制的に吹き出させることができる。また、風量の調節をする場合には、スピードコントローラ４７のツマミを操作すればよい。
【００２５】
他方、兼掌窓口Ｋ１を暖房する場合や空調用空気を執務者の下半身に当てたい場合など、吹出口４ｓを天板２１の下面２１ｂ側から吹き出させたいときには、上昇位置ＵＰにあるフード部４の上板４１を下方へ下降位置ＤＰまで押し下げると、それに伴ってアーム５１が斜め下方を向く位置まで下動し、その位置でアーム５１のラッチ爪５４ａと被係合部５５とが係合し合うことになり、その状態でフード部４が下降位置ＤＰに保持される。そして、スイッチ４８をＯＮにするとファン４６が始動して、吹出口４ｓ及び第２吹出口３１ｄを通じて天板２の下面２１ｂ側から空調用空気を強制的に吹き出させることができる。この場合も、風量の調節をする場合には、スピードコントローラ４７のツマミを操作すればよい。また、下降位置ＤＰにおいては、上昇位置ＵＰで傾斜していたフード部４の上板４１が天板２１の上面２１ａとほぼ面一な水平姿勢となり、この上板４１の上板４１ａの上面を天板面の一部として利用することができる。さらに下降位置ＤＰからフード部４を上昇位置ＵＰへ移動させるには、フード部４の上板４１を下方へ押しつけるとラッチ爪５４ａと被係合部５５との係合が解除されて上述したようにフード部４がポップアップ式に自動的に上昇するため、ワンタッチで簡単にフード部４の上昇位置ＵＰと下降位置ＤＰとを切り替えることができる。
【００２６】
また、フード部４のスムーズな動作のために、フード部４１の側板４３と天板２１の矩形枠体２１ｂとの間には若干の隙間を生じせしめているため、この隙間から硬貨等の小物が空調部本体３内に落下することがあり得るが、落下した硬貨等は空調部本体３の底板３５のネット３５ｂに留まっているので、扉部３１ｂを開けることで容易に回収することができる。また、扉部３１ｂの開閉によって、空気流通路３６内の点検を容易に行うことができる。さらに、駆動部５の主要構成機構部品であるアーム５１やダンパ５３、ラッチ爪５４ａ及び被係合部５５の保守点検を行う場合には、エアダクト部ＡＤの一部である空気流通路３６と駆動機構収容部３７とを内側板３３によって区画してあるため、空気流通路３６には何らアクセスすることなく空調部本体３の外側板３４のみを取り外して行えばよい。
【００２７】
さらに、このようにコーナーカウンターーテーブル２に空調機能を付加しているため、主カウンターテーブル６での作業を妨げることがなく、また省スペースかを実現しているので、従来のように他の空調家具を設置する必要がなく、兼掌窓口Ｋ１のような比較的狭いワークスペースに設置するのに極めて適している。特に兼掌窓口Ｋ１は、屋外又は屋外に通じる場所に設置されることが多く、ビル内のような全体空調を行うのが困難であり空調面で厳しい執務環境を強いられていたが、本実施形態の空調付カウンターテーブルであるコーナーカウンターーテーブル２を利用することで、空調面における快適な執務環境の実現が可能である。
【００２８】
なお、本発明は上述した実施形態に限られるものではない。例えば、フード部の形状を円筒状として鉛直方向に上下動作し得るものとするとともに、天板に形成する開口部及びその縁部に設けられる枠体を円形のものとすれば、フード部と枠体との間のクリアランスから硬貨等の小物を落下しにくくすることができる。その他、各部の具体的構成についても上記実施形態に限られるものではなく、本発明の趣旨を逸脱しない範囲で種々変形が可能である。
【００２９】
【発明の効果】
本発明に係る空調付カウンターテーブルは、以上に詳述したように、エアダクト部と吹出口とを有しており、二重床の空気導入空間を通じて送られてくる空調用空気をエアダクト部及び吹出口を通じて吹き出させるようにしているため、別途に空調機能付きの家具を設置する必要がなくてもよいので、鉄道の駅改札口に設けられる兼掌窓口のように狭いワークスペースを有効に利用することがでる。また、吹出口の位置を、天板の上面側から空調用空気を吹き出させる上昇位置、又は天板の仮面側から吹き出させる下降位置の何れかから選択することができる。このため、例えば空調用空気が冷気の場合や空調用空気を執務者の上半身に当てる場合には、空調用空気が天板の上面側から吹き出す上昇位置に吹出口を設定し、空調用空気が暖気の場合や空調用空気を執務者の上半身に当てずに下半身に当てる場合には、空調用空気が天板の下面側から吹き出す下降位置に吹出口を設定することによって、効率よく且つ執務者の好みに応じた空調を行うことができる。したがって、兼掌窓口のように屋外や屋外に面した場所に設置され従来では効率のよい空調が困難であったワークスペースを、空調面における快適な執務空間とすることが可能である。
【図面の簡単な説明】
【図１】本発明の一実施形態が適用される兼掌窓口を示す概略的外観斜視図。
【図２】同兼掌窓口を示す概略的内観斜視図。
【図３】同兼掌窓口を示す概略的平面図。
【図４】同兼掌窓口を内側から見た概略的正面図。
【図５】同兼掌窓口の空調機能を示す概略構成図。
【図６】同実施形態に係るコーナーカウンターーテーブルの要部をフード部の上昇位置において一部を分解して示す正面図。
【図７】同側面図。
【図８】同実施形態に係るコーナーカウンターーテーブルの要部をフード部の下降位置において一部を分解して示す正面図。
【図９】同側面図。
【符号の説明】
ＡＤ…エアダクト部
ＤＦ…二重床
ＤＦｓ…空気導入空間
ＤＰ…下降位置
Ｋ１…兼掌窓口
Ｍ…空調装置
ＵＰ…上昇位置
２…空調付カウンターテーブル（コーナーカウンターテーブル）
４…フード部
５…駆動部
４ｓ…吹出口
２１…天板
２１ａ…上面
２１ｂ…下面
３１…前壁（前板）
３１ｄ…第２吹出口
３１ｂ…扉部
３７…駆動機構収容部
４６…ファン
４７…スピードコントローラ
【図１】
2004263906.tif 000003
【図２】
2004263906.tif 000004
【図３】
2004263906.tif 000005
【図４】
2004263906.tif 000006
【図５】
2004263906.tif 000007
【図６】
2004263906.tif 000008
【図７】
2004263906.tif 000009
【図８】
2004263906.tif 000010
【図９】
2004263906.tif 000011